【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
発信先の名前情報と読み情報とを関連付けて記憶する電話帳記憶手段と、
１つのキーに１つのグループの文字が割り当てられたダイヤルキーと、カーソルキーとからなる入力手段と、
電話帳表示モードの指定操作に応じて、少なくとも複数の五十音の行の代表文字と五十音以外の特定情報を示す文字とを構成要素として含むしおり情報を表示すると共に、この表示されたしおり情報の第１の構成要素を他の第２の構成要素と表示形態を異ならせて表示し、
かつ前記表示されたしおり情報の第１の構成要素に対応するグループの文字から始まる前記読み情報と関連付けられた１つの名前情報を他の名前情報と表示形態を異ならせて表示する第１表示制御手段と、
前記しおり情報及び名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択し、この選択された特定の名前情報を当該名前情報と同一のグループの文字から始まる読み情報に関連付けられた他の名前情報と表示形態を異ならせて表示する第２表示制御手段と、
この状態で前記操作されたダイヤルキーの２回目以降の操作に応じて、操作前に選択された前記特定の名前情報に代えて同一のグループの文字から始まる読み情報に関連付けられた他の名前情報の一つを選択し、この選択された他の名前情報の一つを前記特定の名前情報と表示形態を異ならせて表示する第３表示制御手段と、
前記名前情報が表示されている状態でカーソルキーの操作がなされると、該操作方向が所定の方向であるかを判定し、前記カーソルキーの操作方向が所定の方向と判定された場合に、該カーソル操作前に前記しおり情報として表示されている第３の構成要素に代えて他の第４の構成要素の１つを選択し、この選択された第４の構成要素の一つをこの選択された第４の構成要素以外の表示されている構成要素と表示形態を異ならせて表示すると共に、前記選択された第４の構成要素に対応するグループの文字から始まる読み情報に関連付けられた名前情報の１つを他の名前情報と表示形態を異ならせて表示する第４表示制御手段とを具備し、
前記第１の構成要素または前記選択された第４の構成要素が前記五十音以外の特定情報を示す文字である場合、五十音以外の特殊文字から始まる前記読み情報と関連付けられた名前情報を表示する
ことを特徴とする移動通信端末装置。
【請求項２】
発信先の名前情報と読み情報とを関連付けて記憶する電話帳記憶手段と、
１つのキーに１つのグループの文字が割り当てられたダイヤルキーと、カーソルキーとからなる入力手段と、
電話帳表示モードの指定操作に応じて、少なくとも複数の五十音の行の代表文字と五十音以外の特定情報を示す文字とを構成要素として含むしおり情報の１つである第１の構成要素に対応するグループの文字から始まる読み情報と関連付けられた名前情報を表示する第１表示制御手段と、
前記名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択して表示する第２表示制御手段と、
この状態で前記操作されたダイヤルキーの２回目以降の操作に応じて、操作前に選択された前記特定の名前情報に代えて同一のグループの文字から始まる読み情報に関連付けられた他の名前情報の一つを選択して表示する第３表示制御手段と、
前記名前情報が表示されている状態でカーソルキーの操作がなされると、該カーソルキーの操作方向が所定の方向である場合に、該カーソル操作前に表示されている名前情報と関連付けられた読み情報の頭文字のグループに対応する前記しおり情報の第３の構成要素に代えて、他の第４の構成要素のうちの１つの構成要素に対応するグループの文字から始まる読み情報と関連付けられた名前情報を表示する第４表示制御手段とを具備し、
前記第１の構成要素または前記第４の構成要素のうちの１つの構成要素が前記五十音以外の特定情報を示す文字である場合、五十音以外の特殊文字から始まる前記読み情報と関連付けられた名前情報を表示する
ことを特徴とする移動通信端末装置。
【請求項３】
発信先の名前情報と、読み情報と、電話番号情報とを関連付けて記憶する電話帳記憶手段と、
電話帳表示モードの指定操作に応じて、少なくとも複数の五十音の行の代表文字を構成要素として含むしおり情報を表示すると共に、この表示されたしおり情報の第１の構成要素を他の第２の構成要素と表示形態を異ならせて表示し、
かつ前記表示されたしおり情報の第１の構成要素に対応するグループの文字から始まる前記読み情報と関連付けられた１つの名前情報を他の名前情報と表示形態を異ならせて表示する第１表示制御手段と、
１つのキーに１つのグループの文字が割り当てられたダイヤルキーと、
前記しおり情報及び名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択し、この選択された一つの特定の名前情報を当該名前情報と同一のグループの文字から始まる読み情報に関連付けられた他の名前情報と表示形態を異ならせて表示する第２表示制御手段と、
この状態で前記操作されたダイヤルキーの２回目以降の操作に応じて、操作前に選択された前記一つの特定の名前情報に代えて同一のグループの文字から始まる読み情報に関連付けられた他の名前情報の一つを選択し、この選択された他の名前情報の一つを前記一つの特定の名前情報と表示形態を異ならせて表示する第３表示制御手段と、
前記他の名前情報の一つが選択された状態で前記ダイヤルキーと異なる所定のキーが押下されると、前記選択された他の名前情報の一つに加え、該名前情報に関連付けられた電話番号情報を表示する第４表示制御手段と
を具備したことを特徴とする移動通信端末装置。
【請求項４】
発信先の名前情報と、読み情報と、電話番号情報とを関連付けて記憶する電話帳記憶手段と、
電話帳表示モードの指定操作に応じて、少なくとも複数の五十音の行の代表文字を構成要素として含むしおり情報を表示すると共に、この表示されたしおり情報の第１の構成要素を他の第２の構成要素と表示形態を異ならせて表示し、
かつ前記表示されたしおり情報の第１の構成要素に対応するグループの文字から始まる前記読み情報と関連付けられた１つの名前情報を他の名前情報と表示形態を異ならせて表示する第１表示制御手段と、
１つのキーに１つのグループの文字が割り当てられたダイヤルキーと、
前記しおり情報及び名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択し、この選択された一つの特定の名前情報を当該名前情報と同一のグループの文字から始まる読み情報に関連付けられた他の名前情報と表示形態を異ならせて表示する第２表示制御手段と、
この状態で前記操作されたダイヤルキーの２回目以降の操作に応じて、操作前に選択された前記特定の名前情報に代えて同一のグループの文字から始まる読み情報に関連付けられた他の名前情報の一つを選択し、この選択された他の名前情報の一つを前記特定の名前情報と表示形態を異ならせて表示する第３表示制御手段と、
前記他の名前情報の一つが選択された状態で前記ダイヤルキーと異なる所定のキーが押下されると、前記選択された他の名前情報の一つに加え、該名前情報に関連付けられた複数の電話番号情報をその属性情報と共に表示する第４表示制御手段と
を具備したことを特徴とする移動通信端末装置。
【請求項５】
発信先の名前情報と、読み情報と、電話番号情報とを関連付けて記憶する電話帳記憶手段と、
電話帳表示モードの指定操作に応じて、少なくとも複数の五十音の行の代表文字と五十音以外の特定情報を示す文字とを構成要素として含むしおり情報の１つである第１の構成要素に対応するグループの文字から始まる読み情報と関連付けられた名前情報を表示する第１表示制御手段と、
１つのキーに１つのグループの文字が割り当てられたダイヤルキーと、
前記名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択して表示する第２表示制御手段と、
この状態で前記操作されたダイヤルキーの２回目以降の操作に応じて、操作前に選択された前記特定の名前情報に代えて同一のグループの文字から始まる読み情報に関連付けられた他の名前情報の一つを選択して表示する第３表示制御手段と、
前記他の名前情報の一つが選択された状態で前記ダイヤルキーと異なる所定のキーが押下されると、前記選択された他の名前情報に加え、該名前情報に関連付けられた電話番号情報を表示する第４表示制御手段と
を具備したことを特徴とする移動通信端末装置。
【請求項６】
発信先の名前情報と、読み情報と、電話番号情報とを関連付けて記憶する電話帳記憶手段と、
電話帳表示モードの指定操作に応じて、少なくとも複数の五十音の行の代表文字と五十音以外の特定情報を示す文字とを構成要素として含むしおり情報の１つである第１の構成要素に対応するグループの文字から始まる読み情報と関連付けられた名前情報を表示する第１表示制御手段と、
１つのキーに１つのグループの文字が割り当てられたダイヤルキーと、
前記名前情報が表示された状態で前記第２の構成要素に対応するグループの文字が割り当てられた前記ダイヤルキーが操作された場合に、その１回目の操作に応じて当該操作されたダイヤルキーに対応するグループの文字から始まる前記読み情報と関連付けられた１つの特定の名前情報を選択して表示する第２表示制御手段と、
この状態で前記操作されたダイヤルキーの２回目以降の操作に応じて、操作前に選択された前記特定の名前情報に代えて同一のグループの文字から始まる読み情報に関連付けられた他の名前情報の一つを選択して表示する第３表示制御手段と、
前記他の名前情報の一つが選択された状態で前記ダイヤルキーと異なる所定のキーが押下されると、前記選択された他の名前情報に加え、該名前情報に関連付けられた複数の電話番号情報をその属性情報と共に表示する第４表示制御手段と
を具備したことを特徴とする移動通信端末装置。
【手続補正２】
【補正対象書類名】明細書
【補正対象項目名】発明の名称
【補正方法】変更
【補正の内容】
【発明の名称】移動通信端末装置
【手続補正３】
【補正対象書類名】明細書
【補正対象項目名】０００１
【補正方法】変更
【補正の内容】
【０００１】
この発明は、例えば携帯電話システムやＰＨＳ（Personal Handyphone System）で使用する移動通信端末装置に関する。
【手続補正４】
【補正対象書類名】明細書
【補正対象項目名】０００７
【補正方法】変更
【補正の内容】
【０００７】
この発明は上記事情に着目してなされたもので、その目的とするところは、目的の発信先を簡単かつ短時間にしかも特別な入力手段を設けることなく正確に検索できるようにし、これにより構成が簡単で安価でありながら電話帳の検索操作性の優れた移動通信端末装置を提供することにある。
【手続補正５】
【補正対象書類名】明細書
【補正対象項目名】０００８
【補正方法】変更
【補正の内容】
【０００８】
上記目的を達成するために代表的な発明は、発信先の名前情報と読み情報とを関連付けて記憶する電話帳記憶手段を備えた移動通信端末装置において、１つのキーに１つのグループの文字が割り当てられたダイヤルキーと、カーソルキーとからなる入力手段と、第１の表示制御手段と、第２の表示制御手段と、第３の表示制御手段と、第４の表示制御手段とを具備する。
【手続補正６】
【補正対象書類名】明細書
【補正対象項目名】０００９
【補正方法】変更
【補正の内容】
【０００９】
第１表示制御手段では、電話帳表示モードの指定操作に応じて、少なくとも複数の五十音の行の代表文字と五十音以外の特定情報を示す文字とを構成要素として含むしおり情報を表示すると共に、この表示されたしおり情報の第１の構成要素を他の第２の構成要素と表示形態を異ならせて表示し、かつ上記表示されたしおり情報の第１の構成要素に対応するグループの文字から始まる上記読み情報と関連付けられた１つの名前情報を他の名前情報と表示形態を異ならせて表示する制御が行われる。
【手続補正７】
【補正対象書類名】明細書
【補正対象項目名】００１０
【補正方法】変更
【補正の内容】
【００１０】
第２の表示制御手段では、上記しおり情報及び名前情報が表示された状態で上記第２の構成要素に対応するグループの文字が割り当てられた上記ダイヤルキーが操作された場合に、その１回目の操作に応じて当該操作されたダイヤルキーに対応するグループの文字から始まる上記読み情報と関連付けられた１つの特定の名前情報を選択し、この選択された特定の名前情報を当該名前情報と同一のグループの文字から始まる読み情報に関連付けられた他の名前情報と表示形態を異ならせて表示する制御が行われる。
【手続補正８】
【補正対象書類名】明細書
【補正対象項目名】００１１
【補正方法】変更
【補正の内容】
【００１１】
第３の表示制御手段では、この状態で上記操作されたダイヤルキーの２回目以降の操作に応じて、操作前に選択された上記特定の名前情報に代えて同一のグループの文字から始まる読み情報に関連付けられた他の名前情報の一つを選択し、この選択された他の名前情報の一つを上記特定の名前情報と表示形態を異ならせて表示する制御が行われる。
【手続補正９】
【補正対象書類名】明細書
【補正対象項目名】００１２
【補正方法】変更
【補正の内容】
【００１２】
第４の表示制御手段では、上記名前情報が表示されている状態でカーソルキーの操作がなされると、該操作方向が所定の方向であるかを判定し、上記カーソルキーの操作方向が所定の方向と判定された場合に、該カーソル操作前に上記しおり情報として表示されている第３の構成要素に代えて他の第４の構成要素の１つを選択し、この選択された第４の構成要素の一つをこの選択された第４の構成要素以外の表示されている構成要素と表示形態を異ならせて表示すると共に、上記選択された第４の構成要素に対応するグループの文字から始まる読み情報に関連付けられた名前情報の１つを他の名前情報と表示形態を異ならせて表示する制御が行われる。
【手続補正１０】
【補正対象書類名】明細書
【補正対象項目名】００１３
【補正方法】変更
【補正の内容】
【００１３】
そして、記第１の構成要素または上記選択された第４の構成要素が上記五十音以外の特定情報を示す文字である場合、五十音以外の特殊文字から始まる上記読み情報と関連付けられた名前情報を表示するようにしたものである。
【手続補正１１】
【補正対象書類名】明細書
【補正対象項目名】００１４
【補正方法】変更
【補正の内容】
【００１４】
したがってこの発明によれば、目的の発信先を簡単かつ短時間にしかも特別な入力手段を設けることなく正確に検索できるようにし、これにより構成が簡単で安価でありながら電話帳の検索操作性の優れた移動通信端末装置を提供することができる。